(57)【特許請求の範囲】
【請求項１】
（Ａ）一般式（Ｉ）で表される非イオン性界面活性剤、（Ｂ）陰イオン性界面活性剤、（Ｃ）水混和性有機溶剤５〜４０質量％、及び（Ｄ）水を含有する衣料用液体洗浄剤組成物であって、
（Ａ）成分と（Ｂ）成分の合計量が４０〜５５質量％であり、
（Ａ）成分と（Ｂ）成分の質量比〔（Ａ）成分／（Ｂ）成分〕が７０／３０〜９０／１０であり、
ＪＩＳ  Ｋ３３６２：１９９８記載の２５℃で測定する組成物のｐＨが６.５〜１０．０であり、
（Ｂ）成分が、炭素数８〜１６のアルキル基を有する直鎖アルキルベンゼンスルホン酸及び／又はその塩、炭素数１２〜１８のアルキル基を有するアルキル硫酸エステル及び／又はその塩、炭素数１２〜１８のアルキル基を有し、エチレンオキサイドの平均付加モル数１〜８のポリオキシエチレンアルキルエーテル硫酸エステル及び／又はその塩、炭素数１０〜２０のアルキル基を有するα−オレフィンスルホン酸及び／又はその塩、炭素数１０〜２０のアルキル基を有するアルカンスルホン酸及び／又はその塩から選ばれる１種以上であり、
（Ｂ）成分中の炭素数８〜１６のアルキル基を有する直鎖アルキルベンゼンスルホン酸及び／又はその塩の含有量が５０質量％以上であり、
衣料用液体洗浄剤組成物に用いる界面活性剤中、（Ａ）成分と（Ｂ）成分の合計量が９０質量％以上であり、
（Ｃ）水混和性有機溶剤が、（ｃ１）エタノール、（ｃ２）エチレングリコール、プロピレングリコール、ヘキシレングリコール、グリセリン、（ｃ３）炭素数２〜４のアルキレングリコール単位からなるポリアルキレングリコール、（ｃ４）炭素数２〜４のアルキレングリコール単位の（ポリ）アルキレングリコールと炭素数１〜５のアルカノールからなる（ポリ）アルキレングリコール（モノ又はジ）アルキルエーテル、（ｃ５）炭素数１〜８のアルキルを有するアルキルグリセリルエーテル、及び（ｃ６）炭素数２〜３のアルキレングリコール単位を有する（ポリ）アルキレングリコールの芳香族エーテルから選ばれる１種以上である衣料用液体洗浄剤組成物。
Ｒ1−Ｙ−（ＥＯ）n−Ｒ2          （Ｉ）
（式中、Ｒ1は炭化水素基であり、−Ｙ−は−Ｏ−又は−ＣＯＯ−であり、Ｒ1−Ｙ−は総炭素数８〜２２である。ＥＯはエチレンオキシ基を表し、ｎは平均付加モル数を表し、ｎは１６〜３０の数である。Ｒ2は水素原子又は炭素数１〜３の炭化水素基である。）
【請求項２】
更に（Ｅ）成分として、クエン酸、リンゴ酸、マレイン酸、コハク酸、乳酸、安息香酸、サリチル酸、エチル安息香酸、ジヒドロキシ安息香酸、ヒドロキシ安息香酸、サリチル酸、ヒドロキシベンゼンスルホン酸、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）、及びこれらの塩から選ばれる有機酸及び／又はその塩を含有する請求項１記載の衣料用液体洗浄剤組成物。
【発明の詳細な説明】
【技術分野】
【０００１】
本発明は、衣料用液体洗浄剤組成物に関する。
【背景技術】
【０００２】
近年、環境に対する意識が高まってきており、環境に対し、より負荷の小さい衣料用洗浄剤組成物の登場が渇望されている。
環境に対する負荷の小さいものとしては、従来の洗浄剤組成物より洗浄成分濃度が高い、いわゆる濃縮タイプの洗浄剤組成物が考えられる。濃縮タイプである場合、洗浄剤組成物自身のサイズを小さくすることができることから、容器樹脂量の削減、輸送費の削減、使用後のゴミの削減等ができるようになり、環境に対する負荷を低減させるのに非常に有効であると考えられる。
【０００３】
衣料用洗浄剤組成物としては、主に粒状洗浄剤組成物と液体洗浄剤組成物が挙げられるが、液体洗浄剤組成物を濃縮タイプにした場合には、洗浄力と共に液の安定性（特に液の低温安定性）が重要な技術課題となる。
しかし、液体洗浄剤組成物には、液安定性の観点から、一般的に粒状洗浄剤組成物において洗浄力向上を目的として配合されるゼオライト等のカルシウム捕捉剤を十分な量を配合することは難しい。このため、従来は界面活性剤として耐硬水性に優れるアルキルエーテル硫酸塩や非イオン性界面活性剤が主に用いられている。
【０００４】
一方、白物家電を扱う大手電気メーカーは洗濯機への付加価値化として、節水・節電を唱った製品が開発、販売されている。
ドラム式洗濯機は浴比（洗濯物1kgあたりの水の量）が低いことから洗濯水量を少なくすることができ、攪拌による繊維への傷みも少ないことから、販売シェアを伸ばしている。
また従来の全自動洗濯機に関しても、脱水・シャワー濯ぎなどの各社独自の濯ぎ方法を採用したり、泡センサー等により自動的に濯ぎ回数を減らしたりするなどの機能を導入している。このような節水は、家庭での節水・節電のみならず、上水及び下水処理での浄水化に伴うエネルギーを考慮する上でも非常に有意義である。
【０００５】
洗濯時の節水効果を高めるためには、濯ぎ水の節水が有効である。濯ぎ性をテーマとした技術としては、昔からシリコーン、脂肪酸による消泡作用を利用することで濯ぎ剤として配合することが知られており、また泡立ちの少ない界面活性剤の使用が提案されている。
【０００６】
特許文献１には、非イオン型シリコーン界面活性剤を用いることで、泡コントロールされた洗浄剤が記載されている。
特許文献２には脂肪酸とシリコーンを併用する洗浄剤が公報一般に非イオン界面活性剤は陰イオン界面活性剤に対して泡立ちが少なく、油汚れに対する洗浄性にも優れることから多数の特許が知られている。
特許文献３には、分岐鎖を有する低泡性の液体洗浄剤が記載されており、その他に非イオン界面活性剤に関しては、特許文献４、特許文献５、特許文献６、特許文献７が知られている。
またポリオキシエチン基（以下ＥＯ）とオキシプロピレン基（以下ＰＯ）とをＥＯ−ＰＯ−ＥＯの順序で有するポリオキシアルキレンアルキルエーテル型非イオン界面活性剤として、特許文献８、特許文献９、特許文献１０及び特許文献１１が挙げられる。特許文献８、特許文献９には特定の非イオン界面活性剤が泡切れ性に優れることが記載されており、特許文献１１には、該非イオン界面活性剤と陰イオン界面活性剤を併用する液体洗浄剤が開示されている。
【０００７】
しかしながら、これら先行技術は、泡コントロールに関する技術で、泡立ちを低減させるものであり、水中での繊維への界面活性剤の吸着性に関する技術を示唆するものではなく、実施例で使用している非イオン界面活性剤のオキシエチレン基の平均付加モル数が本発明よりも少ないものである。
従って、濯ぎ回数の少ない場合や浴比の低い場合の洗浄基剤と繊維の関係について検討し、その解決手段を提案するものではない。更に、これらの技術は洗浄性能の点で改善の余地があった。
【先行技術文献】
【特許文献】
【０００８】
【特許文献１】特表平９−５０２７４６号公報
【特許文献２】特表平１０−５０８０６０号公報
【特許文献３】特表平１０−５０７７８８号公報
【特許文献４】特開平１１−２９３２９３号公報
【特許文献５】特開２０００−３５５７００号公報
【特許文献６】特開平７−１６６１９０号公報
【特許文献７】特開２００２−２８５１９１号公報
【特許文献８】特開平１１−９２７８４号公報
【特許文献９】国際公開第１９９８／０２４８６４号パンフレット
【特許文献１０】国際公開第１９９８／０２４８６７号パンフレット
【特許文献１１】国際公開第１９９８／０２４８６５号パンフレット
【発明の開示】
【発明が解決しようとする課題】
【０００９】
上記した先行技術では、環境への負荷軽減を目的とした濃縮タイプの液体洗浄剤組成物にしたとき、液の安定性を維持しつつ、濯ぎ性と洗浄性の双方の目的を満たすことは非常に困難であった。
従って、本発明の課題は、洗浄力を低下させることなく、従来以上に濯ぎ性に優れた、安定性の良い濃縮タイプの衣料用液体洗浄剤組成物を提供することである。
【課題を解決するための手段】
【００１０】
本発明は、課題の解決手段として下記の発明を提供する。
（Ａ）一般式（Ｉ）で表される非イオン性界面活性剤、（Ｂ）陰イオン性界面活性剤、（Ｃ）水混和性有機溶剤５〜４０質量％、及び（Ｄ）水を含有し、
（Ａ）成分と（Ｂ）成分の合計量が３５〜５５質量％であり、
（Ａ）成分と（Ｂ）成分の質量比〔（Ａ）成分／（Ｂ）成分〕が７０／３０〜９０／１０であり、
ＪＩＳ  Ｋ３３６２：１９９８記載の２５℃で測定する組成物のｐＨが６.５〜１０．０
である衣料用液体洗浄剤組成物。
Ｒ1−Ｙ−（ＥＯ）n−Ｒ2          （Ｉ）
（式中、Ｒ1は炭化水素基であり、−Ｙ−は−Ｏ−又は−ＣＯＯ−であり、Ｒ1−Ｙ−は総炭素数８〜２２である。ＥＯはエチレンオキシ基を表し、ｎは平均付加モル数を表し、ｎは１４〜３０の数である。Ｒ2は水素原子又は炭素数１〜３の炭化水素基である。）
【発明の効果】
【００１１】
本発明によれば、洗浄力と濯ぎ性に優れた、安定性の良い濃縮タイプの衣料用液体洗浄剤組成物が提供される。
本発明の衣料用液体洗浄剤組成物は、洗浄力が優れており、濯ぎ回数が少ない場合、特に濯ぎの水が少ない場合であっても、繊維製品からの界面活性剤の除去性に優れていることから、洗濯時の節水量が増加できる（即ち、水使用量を減少させ、かつ排水量を減少させることができる）ので、環境への負荷軽減の観点からも有効である。
【発明を実施するための形態】
【００１２】
〔（Ａ）成分〕
本発明の（Ａ）成分は、一般式（Ｉ）で示される非イオン性界面活性剤である。
Ｒ1−Ｙ−（ＥＯ）n−Ｒ2          （Ｉ）
（式中、Ｒ1は炭化水素基であり、−Ｙ−は−Ｏ−又は−ＣＯＯ−であり、Ｒ1−Ｙ−は総炭素数８〜２２である。
ＥＯはエチレンオキシ基を表し、ｎは平均付加モル数を表し、ｎは１４〜３０の数である。
Ｒ2は水素原子又は炭素数１〜３の炭化水素基である。）
【００１３】
一般式（Ｉ）において、Ｒ1である炭化水素基は、直鎖、分岐鎖、１級、２級等の何れでもよいが、好ましくは直鎖１級の炭化水素基である。
洗浄性能の観点から、Ｒ1−Ｙ−は総炭素数１０〜２０が好ましく、総炭素数１２〜１８がより好ましく、総炭素数１２〜１６が更に好ましく、総炭素数１２〜１４が特に好ましい。
また、一般式（Ｉ）において、泡コントロールの観点から、Ｒ2は炭素数１〜３の炭化水素基が好ましく、炭素数１又は２の炭化水素基がより好ましく、メチル基が更に好ましい。
また、衣料への低残留性の観点から、ｎは好ましくは１５〜２５の数、より好ましくは１６〜２０の数である。
【００１４】
〔（Ｂ）成分〕
本発明の（Ｂ）成分は、陰イオン性界面活性剤である。
（Ｂ）成分としては、例えば直鎖アルキルベンゼンスルホン酸及び／又はその塩（ＬＡＳ）、アルキル硫酸エステル及び／又はその塩（ＡＳ）、ポリオキシエチレンアルキルエーテル硫酸エステル及び／又はその塩（ＡＥＳ）、α−オレフィンスルホン酸及び／又はその塩（ＡＯＳ）、アルカンスルホン酸及び／又はその塩（ＳＡＳ）、α−スルホ脂肪酸エステル及び／又はその塩（α−ＳＦ）、ポリオキシエチレンアルキルエーテルカルボン酸及び／又はその塩、高級脂肪酸及び／又はその塩（石鹸）等が挙げられる。
【００１５】
上記のなかでも、（Ａ）成分との相乗効果による洗浄性能の観点から、直鎖アルキルベンゼンスルホン酸及び／又はその塩、アルキル硫酸エステル及び／又はその塩、ポリオキシエチレンアルキルエーテル硫酸エステル及び／又はその塩、α−オレフィンスルホン酸及び／又はその塩、アルカンスルホン酸及び／又はその塩が好ましく、直鎖アルキルベンゼンスルホン酸及び／又はその塩がより好ましい。
【００１６】
具体的には、炭素数８〜１６、好ましくは１０〜１４のアルキル基を有するアルキルベンゼンスルホン酸及び／又はその塩、炭素数１０〜２０、好ましくは１２〜１８のアルキル基を有するアルキル硫酸エステル及び／又はその塩、炭素数１０〜２０、好ましくは１２〜１８のアルキル基を有し、エチレンオキサイドの平均付加モル数１〜１０、好ましくは２〜８のポリオキシエチレンアルキルエーテル硫酸エステル及び／又はその塩、炭素数１０〜２０のアルキル基を有するα−オレフィンスルホン酸及び／又はその塩、炭素数１０〜２０、好ましくは１２〜１４のアルキル基を有するアルカンスルホン酸及び／又はその塩、好ましくは２級アルカンスルホン酸及び／又はその塩、炭素数１０〜２０のアルキル基を有するα−スルホ脂肪酸メチルエステル及び／又はその塩、炭素数１０〜２０のアルキル基を有し、エチレンオキサイドの平均付加モル数１〜１０のポリオキシエチレンアルキルエーテルカルボン酸及び／又はその塩、炭素数１２〜１４の高級脂肪酸及び／又はその塩（石鹸）等が好ましく挙げられる。
塩としては、ナトリウム塩、カリウム塩等のアルカリ金属塩、モノエタノールアミン塩、ジエタノールアミン塩等のアルカノールアミン塩などが挙げられる。
【００１７】
〔（Ｃ）成分〕
本発明の（Ｃ）成分は、水混和性有機溶剤である。本発明でいう水混和性有機溶剤とは、２５℃のイオン交換水１Ｌに５０ｇ以上溶解するもの（溶解度が５０ｇ／Ｌ以上）である溶剤を指す。
（Ｃ）成分としては、洗浄性能、安定性、溶解性の点で、水酸基及び／又はエーテル基を有する水混和性有機溶剤が好ましい。
【００１８】
水混和性有機溶剤としては、
（ｃ１）エタノール、１−プロパノール、２−プロパノール、１−ブタノールなどのアルカノール類、
（ｃ２）エチレングリコール、プロピレングリコール、ブチレングリコール、ヘキシレングリコールなどの炭素数２〜６のアルキレングリコール類やグリセリン、
（ｃ３）ジエチレングリコール、トリエチレングリコール、テトラエチレングリコール、ジプロピレングリコール、トリプロピレングリコール又は重量平均分子量４００〜４０００のポリエチレングリコールもしくはポリプロピレングリコール、重量平均分子量４００〜４０００のメトキシポリエチレングリコールもしくはメトキシポリプロピレングリコールなどの炭素数２〜４のアルキレングリコール単位からなるポリアルキレングリコール類、
（ｃ４）ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール、又は１−エトキシ−２−プロパノールなどの炭素数２〜４のアルキレングリコール単位の（ポリ）アルキレングリコールと炭素数１〜５のアルカノールからなる（ポリ）アルキレングリコール（モノ又はジ）アルキルエーテル、
（ｃ５）１−メチルグリセリンエーテル、２−メチルグリセリンエーテル、１，３−ジメチルグリセリンエーテル、１−エチルグリセリンエーテル、１，３−ジエチルグリセリンエーテル、トリエチルグリセリンエーテル、１−ペンチルグリセリルエーテル、２−ペンチルグリセリルエーテル、１−オクチルグリセリルエーテル、２−エチルヘキシルグリセリルエーテルなどの炭素数１〜８のアルキルを有するアルキルグリセリルエーテル類、
（ｃ６）２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール、ジエチレングリコールモノベンジルエーテル等の炭素数２〜３のアルキレングリコール単位を有する（ポリ）アルキレングリコールの芳香族エーテル類等が挙げられる。
【００１９】
（Ｃ）成分は、組成物の粘度調整剤、ゲル化抑制剤として有効であり、上記の（ｃ１）〜（ｃ６）の分類から選ばれる１種以上を使用することが好ましい。
（Ｃ）成分は、上記の（ｃ１）アルカノール類、（ｃ２）グリコール類、（ｃ３）ポリアルキレングリコール類、（ｃ４）アルキルエーテル類、及び（ｃ６）芳香族エーテル類が好ましく、（ｃ１）アルカノール類、（ｃ２）グリコール類、（ｃ４）アルキルエーテル類、及び（ｃ６）芳香族エーテル類がより好ましい。
【００２０】
組成物の粘度調整、ゲル化抑制の観点から、（ｃ１）アルカノール類、（ｃ２）グリコール類、（ｃ４）アルキルエーテル類、及び（ｃ６）芳香族エーテル類から選ばれる２種以上を併用することが好ましく、（ｃ２）グリコール類、（ｃ４）アルキルエーテル類、及び（ｃ６）芳香族エーテル類から選ばれる２種以上を併用することがより好ましい。
より具体的には、プロピレングリコール、ジエチレングリコールモノブチルエーテル、モノ〜トリエチレングリコールモノフェニルエーテルから選ばれる２種以上が最も好ましい。
使用時における冷水への希釈溶解性の観点から、（ｃ１）アルカノール類から選ばれるものと、（ｃ３）ポリアルキレングリコール類から選ばれるものを併用することが好ましい。
【００２１】
〔（Ｄ）成分〕
本発明の（Ｄ）成分は、水である。脱イオン水などの余分な金属イオンを除去したものを用いることが好ましい。
【００２２】
〔（Ｅ）成分〕
本発明の（Ｅ）成分は、有機酸及び／又はその塩である。
（Ｅ）成分としては、例えば、クエン酸、リンゴ酸、マレイン酸、コハク酸、乳酸、安息香酸、サリチル酸、エチル安息香酸、ジヒドロキシ安息香酸、ヒドロキシ安息香酸、サリチル酸、ヒドロキシベンゼンスルホン酸、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）、及びこれらの塩が挙げられる。
塩としては、ナトリウム塩、カリウム塩等のアルカリ金属塩、モノエタノールアミン塩、ジエタノールアミン塩等のアルカノールアミン塩などが挙げられる。
【００２３】
これらの中で、特に、衣料用液体洗浄剤組成物のｐＨ安定化効果及び組成の保存安定性などの点からクエン酸、リンゴ酸、マレイン酸、コハク酸、乳酸、安息香酸、サリチル酸、エチル安息香酸、ジヒドロキシ安息香酸、及びこれらの塩から選ばれる化合物〔以下、（Ｅ−１）成分という〕が好ましく、（Ｅ−１）成分の中でもクエン酸、安息香酸、及びこれらの塩から選ばれる化合物がより好ましい。
【００２４】
また、安定性の観点から、（Ｅ）成分として、ヒドロキシ安息香酸、サリチル酸、ヒドロキシベンゼンスルホン酸、及びこれらの塩から選ばれるラジカルトラップ効果を有する化合物〔以下、（Ｅ−２）成分という〕を含有することが好ましく、これらの中でも４−ヒドロキシ安息香酸がより好ましい。
【００２５】
また、安定性の観点から、（Ｅ）成分として、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）、及びこれらの塩から選ばれる金属捕捉効果を有する化合物〔以下、（Ｅ−３）成分という〕を含有することが好ましく、これらの中でも１−ヒドロキシエタン−１，１−ジホスホン酸やその塩が好ましい。
【００２６】
安定性の観点から、（Ｅ−２）成分及び（Ｅ−３）成分を併用することがより好ましい。
その場合、（Ｅ−２）成分／（Ｅ−３）成分の質量比は、１０／１〜１／１０、更に５／１〜１／５が好ましい。
【００２７】
本発明では、（Ｅ）成分として、（Ｅ−１）成分と、（Ｅ−２）成分及び／又は（Ｅ−３）成分とを含有することが好ましく、（Ｅ−１）成分、（Ｅ−２）成分及び（Ｅ−３）成分を含有することがより好ましい。
【００２８】
（Ｅ）成分は、１種又は２種以上混合して用いることができる。なお、ｐＨ調整剤として（Ｅ）成分に該当する化合物を用いることもできるが、それらの量は（Ｅ）成分に算入する。
【００２９】
〔組成物中の各成分の含有量〕
（Ａ）成分と（Ｂ）成分は、使用時における冷水への希釈溶解性、洗浄性能の観点から、衣料用液体洗浄剤組成物中の合計含有量は３５〜５５質量％で、かつ〔（Ａ）成分／（Ｂ）成分〕は７０／３０〜９０／１０であり、８０／２０〜９０／１０が好ましく、８５／１５〜９０／１０がより好ましい。
（Ａ）成分と（Ｂ）成分の合計含有量は３８〜５５質量％が好ましく、４０〜５５質量％がより好ましい。
（Ａ）成分と（Ｂ）成分の質量比〔（Ａ）成分／（Ｂ）成分〕は７２／２８〜８８／１２が好ましく、７５／２５〜８５／１５がより好ましい。
なお、（Ｂ）成分の陰イオン界面活性剤は酸型又はその塩であるが、塩の分子量によって、その質量が異なることから、本発明では塩であっても、酸型と仮定したときの質量を（Ｂ）成分の質量とする。
【００３０】
（Ａ）成分との相乗効果による洗浄性能の観点から、（Ｂ）成分中の直鎖アルキルベンゼンスルホン酸及び／又はその塩、アルキル硫酸エステル及び／又はその塩、ポリオキシエチレンアルキルエーテル硫酸エステル及び／又はその塩、α−オレフィンスルホン酸及び／又はその塩、アルカンスルホン酸及び／又はその塩の合計量は７０質量％以上が好ましく、８０質量％以上がより好ましく、９０質量％以上が更に好ましく、９５質量％以上が特に好ましい。
また、（Ｂ）成分中の直鎖アルキルベンゼンスルホン酸及び／又はその塩の含有量は５０質量％以上が好ましく、６０質量％以上がより好ましく、７０質量％以上が更に好ましく、８０質量％以上が特に好ましい。
【００３１】
衣料用液体洗浄剤組成物の安定性、使用時における冷水への希釈溶解性、洗浄性能、特に衣料への低残留性の観点から、本発明の衣料用液体洗浄剤組成物に用いる界面活性剤中、（Ａ）成分と（Ｂ）成分の合計量は７０質量％以上が好ましく、８０質量％以上がより好ましく、９０質量％以上が更に好ましい。上限値は１００質量％が好ましい。
【００３２】
（Ｃ）成分は、使用時における冷水への希釈溶解性、安定性の観点から、衣料用液体洗浄剤組成物中の含有量は５〜４０質量％であり、１０〜３５質量％が好ましく、１０〜２５質量％が特に好ましい。
【００３３】
また、使用時における冷水への希釈溶解性、安定性の観点から、（Ａ）成分及び（Ｂ）成分の合計と（Ｃ）成分との質量比〔（Ａ）＋（Ｂ）〕／（Ｃ）は９０／１０〜６０／４０が好ましく、８５／１５〜７０／３０がより好ましく、８０／２０〜７０／３０が更に好ましい。
【００３４】
使用時における冷水への希釈溶解性の観点から、（Ｃ）成分として（ｃ１）アルカノール類と（ｃ３）ポリアルキレングリコール類を併用したときの合計量は７０質量％以上が好ましく、８０質量％以上がより好ましく、９０質量％以上が更に好ましく、９５質量％以上が特に好ましい。
【００３５】
（Ｄ）成分の水の含有量は、衣料用液体洗浄剤組成物の安定性、使用時における冷水への希釈溶解性、コンパクト性の観点から、組成物中、１０〜５０質量％が好ましく、１５〜４５質量％が更に好ましく、２０〜４０質量％が特に好ましい。
【００３６】
各成分の含有量や含有比率を上記の範囲の組成物とすることで、使用時における冷水への希釈溶解性に優れ、洗浄力を低下させることなく、従来以上に濯ぎ性に優れた濃縮タイプの衣料用液体洗浄剤組成物が得られる。
【００３７】
衣料用液体洗浄剤組成物の使用時における冷水への希釈溶解性、安定性、洗浄性能の観点から、本発明の衣料用液体洗浄剤組成物に（Ｅ）成分を含有させることが好ましく、０．０５〜１０質量％がより好ましく、０．１〜７質量％が更に好ましく、０．２〜５質量％が特に好ましく、０．５〜３質量％が最も好ましい。
【００３８】
特に（Ｅ）成分として、（Ｅ−１）成分を含有することが好ましく、衣料用液体洗浄剤組成物中の（Ｅ−１）成分は０．０５〜５質量％が好ましく、０．１〜４質量％がより好ましく、０．２〜３質量％が更に好ましく、０．５〜２質量％が特に好ましい。
また、（Ｅ）成分として、（Ｅ−２）成分及び／又は（Ｅ−３）成分を含有させることが安定性の観点から好ましく、（Ｅ−２）成分及び（Ｅ−３）成分を含有させることがより好ましい。
本発明の衣料用液体洗浄剤組成物中の（Ｅ−２）成分の含有量は、０．０５〜５質量％が好ましく、０．１〜３質量％がより好ましく、０．２〜２質量％が更に好ましい。
本発明の衣料用液体洗浄剤組成物中の（Ｅ−３）成分の含有量は、０．０１〜２質量％が好ましく、０．０５〜１．５質量％がより好ましく、０．１〜１質量％が更に好ましい。
【００３９】
なお、（Ｅ）成分は酸型又はその塩であるが、塩の分子量によって、その質量が異なることから、本発明では塩であっても、酸型と仮定した時の質量を（Ｅ）成分の質量とする。
【００４０】
〔その他の成分〕
本発明の衣料用液体洗浄剤組成物には、上記の成分以外に必要に応じて、本発明の効果を損なわない範囲で、種々の任意成分を適宜配合することができる。
例えば、その他の界面活性剤（陽イオン性界面活性剤、両性界面活性剤、上記以外の非イオン性界面活性剤）、粘度低下剤（エタノール、イソプロパノール等の低級アルコール類；エチレングリコール、プロピレングリコール等のグリコール類など）、アルカリ剤（モノエタノールアミン、ジエタノールアミン、トリエタノールアミンなどのアルカノールアミン等）、シリコーン等の風合い向上剤、防腐剤、ハイドロトロープ剤、蛍光剤、移染防止剤、パール剤、酸化防止剤（ジブチルヒドロキシトルエン、ジスチレン化クレゾール、亜硫酸ナトリウム、亜硫酸水素ナトリウム等）、酵素、着香剤又は乳濁化剤等の添加剤などが挙げられる。
【００４１】
〔組成物のｐＨ〕
衣料用液体洗浄剤組成物の安定性、使用時における冷水への希釈溶解性、洗浄性能の観点から、ＪＩＳ  Ｋ３３６２：１９９８記載の２５℃で測定する本発明の衣料用液体洗浄剤組成物のｐＨは６.５〜１０.０であり、６．６〜９.５が好ましく、６.７〜９.０がより好ましい。
【００４２】
ｐＨ調整剤としては、塩酸、硫酸、リン酸等の無機酸、多価カルボン酸類、ヒドロキシカルボン酸類等の有機酸、水酸化ナトリウム、水酸化カリウム、アルカノールアミン、アンモニア等が挙げられ、衣料用液体洗浄剤組成物の経時安定性の面から、硫酸、水酸化ナトリウム、水酸化カリウム、アルカノールアミンが好ましい。
【００４３】
〔組成物の粘度〕
本発明の衣料用液体洗浄剤組成物の２０℃における粘度は、取り扱いの容易さの点で１０〜５００ｍＰａ・ｓが好ましく、５０〜４００ｍＰａ・ｓがより好ましく、１００〜３００ｍＰａ・ｓが更に好ましい。
本発明において粘度はＢ型粘度計により測定する。ローターは粘度に合ったものを選択する。回転数６０ｒ／ｍｉｎで回転し、回転開始から６０秒後の粘度を衣料用液体洗浄剤組成物の粘度とする。
【００４４】
〔衣料用液体洗浄剤組成物の使用方法（衣料の洗濯方法）〕
本発明の衣料用液体洗浄剤組成物の使用方法は、通常の使用方法、すなわち衣料用液体洗浄剤組成物を、洗濯時に洗濯物と一緒に水に投入する方法、泥汚れや皮脂汚れに衣料用液体洗浄剤組成物を直接塗布する方法、衣料用液体洗浄剤組成物を予め水に溶かして衣類を浸漬する方法等が挙げられる。また、衣料用液体洗浄剤組成物を洗濯物に塗布後、適宜放置し、その後、通常の洗濯液を用いて通常の洗濯を行う方法も好ましい。
【００４５】
本発明の洗濯方法では、浴比は好ましくは３〜４０である。ここで浴比とは、水性洗浄液の質量を衣類の質量で割った値を意味する。
本発明ではドラム式洗濯機のように、低浴比の洗濯機に対しても優れた効果が得られる。
具体的には浴比が３〜１２、特には３〜８であっても、優れた濯ぎ性、すなわち被洗濯物からの界面活性剤の除去性を発揮する。
本発明の液体洗浄剤組成物を用いた洗濯方法は、従来の限界と考えられた濯ぎ性を超えるものである。また、濯ぎ回数を減らせること、或いは濯ぎ用に用いる水量を減らすこと（即ち、排水量を減らすこと）を容易にする。
【実施例】
【００４６】
実施例及び比較例
表１、表２に示す各成分を混合して得られた衣料用液体洗浄剤組成物を用い、下記の各評価を行った。結果を表１、表２に示す。
【００４７】
〔洗浄力の評価〕
ＪＩＳ  Ｋ ３３６２：１９９８記載の『衣料用合成洗剤の洗浄力評価方法』に従い、組成表１記載の衣料用液体洗浄剤組成物と洗浄力判定用指標洗剤の洗浄力を比較した。指標洗剤に対して、同等以上の洗浄力であるか、或いは劣るかにつき確認した。衣料用液体洗浄剤組成物の使用濃度は１５ｇ／Ｌとした。
【００４８】
〔吸着率評価（濯ぎ性の評価）〕
広口規格ビン（ＰＳ−Ｎｏ．１１、ガラス製、直径５０ｍｍ、高さ９５ｍｍ、口径３０ｍｍ）に、表１の液体洗浄剤組成物の水溶液１００ｇ（界面活性剤濃度２００ｍｇ／Ｌになるように調整、Ｃａイオン濃度４°ＤＨ）と木綿メリヤス〔（株）色染社製、未シルケット、坪量１９ｍｇ／ｃｍ2、綿１００%、５ｇ（約１．５ｃｍ×１．５ｃｍ）〕を入れ、振とう器（ＲＥＣＩＰＲＯ  ＳＨＡＫＥＲ ＳＲ-II Ｗ ；タイテック株式会社製）で、ストローク幅５０ｍｍ、３００回／分の速度で、１０分間振とうした。繊維吸着率は、以下のようにして求めた。繊維吸着率が小さいほど、濯ぎ性が良いことを示している。
繊維吸着率（％）＝〔１−（振とう後の水溶液中に含まれる界面活性剤量）／（布を投入する前の水溶液中に含まれる界面活性剤量）〕×１００
なお、水溶液中に含まれる界面活性剤量は、液体クロマトグラフ法により測定した。
また木綿メリヤス布は、１００ｃｍ×１００ｃｍに裁断したものを、全自動洗濯機にてＪＩＳＫ３３６２：１９９８の洗浄評価用の指標洗剤で累積洗浄（洗濯時間１０分、濯ぎ１回、脱水３分）を５回行った後、更に２槽式洗濯機にて、３時間注水濯ぎを行い、界面活性剤を十分取り除いたものを用いた。
【００４９】
〔溶解性のモデル評価（低温安定性の評価）〕
衣料用液体洗浄剤組成物とイオン交換水を、〔（衣料用液体洗浄剤組成物の質量）／（衣料用液体洗浄剤組成物の質量＋イオン交換水の質量）×１００＝５〜９５質量％となるように、５質量％刻みで混合した計１９サンプルを準備した。これらのサンプルを５℃の恒温室で１日間静置の後、各サンプルの５℃における粘度を以下の条件で測定し、以下の基準で判定した。
【００５０】
測定機器：東京計器（株）製のデジタルＢ型粘度計（型番；ＤＶＭ−Ｂ）
測定条件：６０ｒ／ｍ，６０秒
（評価基準）
○：すべてのサンプルの粘度が１５００ｍＰａ・ｓ未満である。これは、冷水による希釈時に液晶形成や結晶形成等により増粘しないことを意味し、溶解性に優れると判断できる。
×：サンプルの中に粘度が１５００ｍＰａ・ｓ以上のものがある。これは冷水による希釈時に液晶形成、又は結晶形成等により増粘する場合があることを意味し、溶解性が劣ると判断される。
【００５１】
表中の成分は以下のものである。また、表中、「調整量」は、ｐＨを表中の値に調整するための量である。
〔（Ａ）成分〕
・Ａ−１：一般式（Ｉ）中のＲ1が炭素数１１の直鎖１級アルキル基、−Ｙ−が−ＣＯＯ−、ｎが１５、Ｒ2がメチル基の非イオン性界面活性剤
・Ａ−２：一般式（Ｉ）中のＲ1が炭素数１２の直鎖１級アルキル基、−Ｙ−が−Ｏ−、ｎが１５、Ｒ2が水素原子の非イオン性界面活性剤
・Ａ−３：一般式（Ｉ）中のＲ1が炭素数１２の直鎖１級アルキル基、−Ｙ−が−Ｏ−、ｎが２０、Ｒ2が水素原子の非イオン性界面活性剤
〔（Ａ）成分の比較成分〕
・Ａ’−４（比較例）：一般式（Ｉ）中のＲ1が炭素数１２の直鎖１級アルキル基、−Ｙ−が−Ｏ−、ｎが１２、Ｒ2が水素原子の非イオン性界面活性剤
・Ａ’−５（比較例）：一般式（Ｉ）中のＲ1が炭素数１２の直鎖１級アルキル基、−Ｙ−が−Ｏ−、ｎが４１、Ｒ2が水素原子の非イオン性界面活性剤
・Ａ’−６（比較例）：一般式（Ｉ）中のＲ1が炭素数１１の直鎖１級アルキル基、−Ｙ−が−ＣＯＯ−、ｎが９、Ｒ2がメチル基の非イオン性界面活性剤
【００５２】
〔（Ｂ）成分〕
・Ｂ−１：炭素数１０〜１４の直鎖アルキル基を有するアルキルベンゼンスルホン酸
・Ｂ−２：ポリオキシエチレンアルキルエーテル硫酸塩（炭素数１０〜１４の直鎖アルキル、ＥＯ平均付加モル数２、モノエタノールアミン塩、但し表中の濃度は酸型の濃度とし、対塩のモノエタノールアミンは別途記載した。
・Ｂ−３：ラウリル硫酸ナトリウム
・Ｂ−４：アルカンスルホン酸Ｎａ塩（炭素数１２、製品名：ＨＯＳＴＡＰＵＲ  ＳＡＳ６０〔クラリアントジャパンより入手〕）
・Ｂ−５：ルナックＬ−５５（商品名）（ヤシ油系脂肪酸；花王株式会社製）
【００５３】
〔（Ｃ）成分〕
・Ｃ-１：エタノール
・Ｃ-２：プロピレングリコール
・Ｃ-３：メトキシポリエチレングリコール（ＥＯ＝９）
・Ｃ-４：ジエチレングリコールモノブチルエーテル
・Ｃ-５：２−エチルヘキシルグリセリルエーテル
・Ｃ-６：ジエチレングリコールモノフェニルエーテル
【００５４】
〔（Ｅ）成分〕
・Ｅ-１：安息香酸
・Ｅ-２：４−ヒドロキシ安息香酸
・Ｅ-３：１−ヒドロキシエタン−１，１−ジホスホン酸
【００５５】
【表１】
0005805383.tif 000002
【００５６】
【表２】
0005805383.tif 000003